【手続補正書】
【提出日】平成25年4月19日(2013.4.19)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示する可変表示部を備え、前記可変表示部における識別情報の表示結果があらかじめ定められた特定表示結果となったときに、遊技者にとって有利な特定遊技状態に制御する遊技機であって、
前記特定表示結果とするか否かを、識別情報の表示結果が導出表示される以前に決定する事前決定手段と、
前記事前決定手段の決定結果にもとづいて、所定の予告演出を決定する予告演出決定手段と、
前記予告演出決定手段により決定された前記予告演出を行う予告演出実行手段と、
識別情報の可変表示状態を所定のリーチ状態とした後に表示結果を導出表示する手段であって、該リーチ状態とされたときはされなかったときよりも高い割合で前記特定表示結果となるように、該リーチ状態とするリーチ可変表示実行手段とを備え、
前記予告演出決定手段は、
予め定められた順番に従って１段階目の演出から複数段階目の演出まで複数の演出を段階的に行う予告演出であって、前記特定表示結果とする場合は該特定表示結果としない場合よりも高い割合で最終段階目の演出まで演出が行われるステップアップ予告演出を決定するステップアップ予告演出決定手段と、
前記ステップアップ予告演出のほかに、遊技領域に設けられた可動部材を可動させることによって前記特定表示結果となる可能性があることを報知する可動部材予告演出を決定する可動部材予告演出決定手段と、
前記ステップアップ予告演出の開始前に実行可能な特定予告演出を決定する特定予告演出決定手段とを含み、
前記ステップアップ予告演出において、一の段階目の演出まで演出が段階的に行われたときは、前記リーチ可変表示実行手段により識別情報の可変表示状態がリーチ状態とされ、
前記予告演出実行手段は、前記ステップアップ予告演出における前記一の段階目の演出を開始する開始タイミングから該一の段階目の次段階目の演出を開始する開始タイミングまでの期間中に前記可動部材予告演出を行い、
前記ステップアップ予告演出決定手段は、前記ステップアップ予告演出として、該ステップアップ予告演出における複数の演出の態様が第１の態様である第１ステップアップ予告演出と、該ステップアップ予告演出における複数の演出の態様が前記第１の態様と異なる第２の態様である第２ステップアップ予告演出とを決定可能であり、
前記予告演出実行手段は、前記ステップアップ予告演出決定手段により前記第１ステップアップ予告演出が決定され、かつ前記第２ステップアップ予告演出が決定されたときに、該第１ステップアップ予告演出と該第２ステップアップ予告演出とを可変表示中の同一期間に同時に実行可能であり、
前記第１ステップアップ予告演出における特定段階目の演出を開始する開始タイミングから該特定段階目の次段階目の演出を開始する開始タイミングまでの期間中に前記第２ステップアップ予告演出における所定段階目の演出を開始する開始タイミングがある
ことを特徴とする遊技機。
【手続補正２】
【補正対象書類名】明細書
【補正対象項目名】００１０
【補正方法】変更
【補正の内容】
【００１０】
本発明による遊技機は、各々を識別可能な複数種類の識別情報（例えば、第１特別図柄、第２特別図柄、演出図柄）を可変表示する可変表示部（第１特別図柄表示器８ａ、第２特別図柄表示器８ｂ、演出表示装置９）を備え、可変表示部における識別情報の表示結果があらかじめ定められた特定表示結果（例えば、大当り図柄）となったときに、遊技者にとって有利な特定遊技状態（例えば、大当り遊技状態）に制御する遊技機であって、特定表示結果とするか否かを、識別情報の表示結果が導出表示される以前に決定する事前決定手段（例えば、遊技制御用マイクロコンピュータ５６０におけるステップＳ６１の処理を実行する部分）と、事前決定手段の決定結果にもとづいて、所定の予告演出を決定する予告演出決定手段と、予告演出決定手段により決定された予告演出を行う予告演出実行手段と、識別情報の可変表示状態を所定のリーチ状態とした後に表示結果を導出表示する手段であって、該リーチ状態とされたときはされなかったときよりも高い割合で特定表示結果となるように、該リーチ状態とするリーチ可変表示実行手段とを備え、予告演出決定手段は、予め定められた順番に従って１段階目の演出から複数段階目の演出まで複数の演出を段階的に行う予告演出（例えば、予告演出Ａ，Ｂ，Ｃ，Ｄ，Ｅ，ｅ）であって、特定表示結果とする場合は該特定表示結果としない場合よりも高い割合で最終段階目の演出まで演出が行われるステップアップ予告演出（例えば、第１ステップアップ予告演出）を決定するステップアップ予告演出決定手段と、ステップアップ予告演出のほかに、遊技領域に設けられた可動部材（例えば可動部材７８）を可動させることによって特定表示結果となる可能性があることを報知する可動部材予告演出（例えば可動物予告演出）を決定する可動部材予告演出決定手段と、ステップアップ予告演出の開始前に実行可能な特定予告演出を決定する特定予告演出決定手段とを含み、ステップアップ予告演出において、一の段階目の演出まで演出が段階的に行われたときは、リーチ可変表示実行手段により識別情報の可変表示状態がリーチ状態とされ、予告演出実行手段は、ステップアップ予告演出における一の段階目の演出を開始する開始タイミングから該一の段階目の次段階目の演出を開始する開始タイミングまでの期間中に可動部材予告演出を行い（例えば、図７７に示すように、第１ステップアップ予告演出において予告演出Ｃが実行されず、その代わりに可動物予告演出が実行される。具体例として、図９３および図９４に示すように、予告演出Ｂから予告演出Ｃへの変化タイミングに到達したにもかかわらず次の予告演出Ｃが実行されなかった場合（図９３（４−４））、その変化タイミング以降に可動物予告演出を実行する（図９３（４−５）。））、ステップアップ予告演出決定手段は、ステップアップ予告演出として、ステップアップ予告演出における複数の演出の態様が第１の態様である第１ステップアップ予告演出（例えば、予告演出Ａ，Ｂ，Ｃ，Ｄ，Ｅ，ｅを実行可能な第１ステップアップ予告演出：図８４参照）と、該ステップアップ予告演出における複数の演出の態様が第１の態様と異なる第２の態様である第２ステップアップ予告演出（例えば、予告演出Ｘ，Ｙ，Ｚ，ｚを実行可能な第２ステップアップ予告演出：図８５〜図８７参照）とを決定可能であり、予告演出実行手段は、ステップアップ予告演出決定手段により第１ステップアップ予告演出が決定され、かつ第２ステップアップ予告演出が決定されたときに、該第１ステップアップ予告演出と該第２ステップアップ予告演出とを可変表示中の同一期間に同時に実行可能であり（例えば、図７７に示す例では、演出図柄の高速変動期間に同時に第１ステップアップ予告演出と第２ステップアップ予告演出とを実行可能である）、第１ステップアップ予告演出における特定段階目の演出を開始する開始タイミングから該特定段階目の次段階目の演出を開始する開始タイミングまでの期間中に第２ステップアップ予告演出における所定段階目の演出を開始する開始タイミングがあることを特徴とする。
【手続補正３】
【補正対象書類名】明細書
【補正対象項目名】００１１
【補正方法】変更
【補正の内容】
【００１１】
請求項１記載の発明では、予告演出決定手段により決定された予告演出を行う予告演出実行手段と、識別情報の可変表示状態を所定のリーチ状態とした後に表示結果を導出表示する手段であって、該リーチ状態とされたときはされなかったときよりも高い割合で特定表示結果となるように、該リーチ状態とするリーチ可変表示実行手段とを備え、予告演出実行手段が、予め定められた順番に従って１段階目の演出から複数段階目の演出まで複数の演出を段階的に行う予告演出であって、特定表示結果とする場合は該特定表示結果としない場合よりも高い割合で最終段階目の演出まで演出が行われるステップアップ予告演出を決定するステップアップ予告演出決定手段と、ステップアップ予告演出のほかに、遊技領域に設けられた可動部材を可動させることによって特定表示結果となる可能性があることを報知する可動部材予告演出を決定する可動部材予告演出決定手段と、ステップアップ予告演出の開始前に実行可能な特定予告演出を決定する特定予告演出決定手段とを含み、ステップアップ予告演出において、一の段階目の演出まで演出が段階的に行われたときは、リーチ可変表示実行手段により識別情報の可変表示状態がリーチ状態とされ、予告演出実行手段は、ステップアップ予告演出における一の段階目の演出を開始する開始タイミングから該一の段階目の次段階目の演出を開始する開始タイミングまでの期間中に可動部材予告演出を行い、ステップアップ予告演出決定手段は、ステップアップ予告演出として、該ステップアップ予告演出における複数の演出の態様が第１の態様である第１ステップアップ予告演出と、該ステップアップ予告演出における複数の演出の態様が第１の態様と異なる第２の態様である第２ステップアップ予告演出とを決定可能であり、予告演出実行手段は、ステップアップ予告演出決定手段により第１ステップアップ予告演出が決定され、かつ第２ステップアップ予告演出が決定されたときに、該第１ステップアップ予告演出と該第２ステップアップ予告演出とを可変表示中の同一期間に同時に実行可能であり、第１ステップアップ予告演出における特定段階目の演出を開始する開始タイミングから該特定段階目の次段階目の演出を開始する開始タイミングまでの期間中に第２ステップアップ予告演出における所定段階目の演出を開始する開始タイミングがある構成とされている。このような構成によれば、ステップアップ予告演出が一旦終了したように見せかけた後に可動部材予告演出が実行されて、遊技者の期待を再度抱かせることができ、より一層興趣の向上を図ることができる。また、複数のステップアップ予告演出（第１ステップアップ予告演出、第２ステップアップ予告演出）を同時に実行して興趣の向上を図ることができるとともに、さらに複数のステップアップ予告演出における予告演出の変化タイミングが異なるため、遊技者は複数の予告演出を確認して特定遊技状態の発生を期待しつつ遊技を行うことができ、更なる興趣の向上を図ることができる。